(57)【要約】【課題】  腕や肩が動かし易く、更に、肩上面部に対する保温性低下が抑制された上着を提供する。【解決手段】  本発明は、キルティング布部材によって構成され、該キルティング布部材は表生地と裏生地と該表生地及び裏生地の間に介在された芯材とを有し且つ該芯材の移動を規制するステッチが設けられてなる上着であって、前記キルティング布部材には、着用者の肩上面部を被覆する肩上面被覆部の外側周縁に沿って弧状の曲線をなし且つ略水平に延びるように、ステッチが設けられてなることを特徴とする上着を提供する。【選択図】  図３
2010018900.tif 000002
【特許請求の範囲】
【請求項１】
キルティング布部材（１０）によって構成され、該キルティング布部材（１０）は表生地と裏生地と該表生地及び裏生地の間に介在された芯材とを有し且つ該芯材の移動を規制するステッチ（１５）が設けられてなる上着であって、
前記キルティング布部材（１０）には、着用者の肩上面部を被覆する肩上面被覆部（１７）の外側周縁に沿って弧状の曲線をなし且つ略水平に延びるように、ステッチ（１５ｂ）が設けられてなることを特徴とする上着。
【請求項２】
着用者の胴を被覆する上着本体（１）に腕を被覆する袖スリーブ（２０）が縫着されて構成されてなり、前記袖スリーブ（２０）として着用者の肩上面部をも被覆するラグランタイプの袖スリーブ（２０）が用いられ、ラグラン袖仕立てとされてなる請求項１記載の上着。
【請求項３】
キルティング布部材（１０）の表生地の更に表側に、防水性布部材（３０）が積層されて、釣り用とされてなる請求項１又は２記載の上着。
【発明の詳細な説明】
【技術分野】
【０００１】
本発明は、表生地と裏生地と該表生地及び裏生地の間に介在された芯材とを有し該芯材の移動を規制するステッチが設けられたキルティング布部材によって構成されてなる上着に関し、特に、芯材として、ダウンやフェザーが用いられたダウンジャケット等の上着に関する。
【背景技術】
【０００２】
従来、この種の上着としては、例えば図４に示すものが知られている。
即ち、芯材としてダウン及びフェザーを介在させたキルティング布部材が用いられて、それぞれ上着本体５１及び該本体５１に縫着された袖スリーブ５２が形成されてなるものである。
斯かる従来の上着は、通常、着用者の腕付け根から手先側のみを被覆するような（即ち肩上面部を被覆しないような）筒状形状とされたセットインタイプの袖スリーブ５２が、上着本体５１の袖ぐりに縫着されてなる所謂セットイン袖仕立てとされてなり、適宜、上着本体５１には略水平となるようにステッチ５５が設けられ、また、袖スリーブ５２には、軸方向に略直交するように、ステッチ５５が設けられてなる（例えば、下記特許文献１）。
【０００３】
しかしながら、上記従来の上着に於いては、着用していると芯材が肩上面部を被覆する肩上面被覆部５６の前後両側から下方に落下して、腕の付け根や脇を被覆する部位等で溜まってしまうこととなる。
従って、上記従来の上着は、芯材の移動によって腕や肩が動かし難くなったり、また、肩上面部に対する保温性が低下したりするという問題を有している。
【０００４】
また、図５に示すように、袖スリーブ６２として着用者の肩上面部を被覆する肩上面被覆部６６を有するラグランタイプのスリーブが用いられて、ラグラン袖仕立てとされてなる上着も知られている。
斯かるラグラン袖仕立ての上着は、見た目には腕や肩の動かしやすいような印象を与えがちである。
しかしながら、このような上着であっても、前記セットイン袖仕立てのものと同様に、芯材の下方への移動及び蓄積が生じており、場合によっては、肩上面被覆部６６から側方へ向けて芯材が移動しうることから、前記セットイン袖仕立てのものよりもより芯材が下方に移動及び蓄積し易いものとなる。
従って、斯かるラグラン袖仕立てのスリーブ６２は、セットイン袖仕立てのものと同様に、場合によってはそれ以上に、腕や肩が動かし難くなり且つ肩上面部に対する保温性が低下するという問題を有している。
【０００５】
【特許文献１】特開２００４−１６９２１１号公報
【発明の開示】
【発明が解決しようとする課題】
【０００６】
上記従来の問題点に鑑み、本発明の課題は、腕や肩が動かし易く、更に、肩上面部に対する保温性低下が抑制された上着を提供することとする。
【課題を解決するための手段】
【０００７】
上記課題を解決すべく、本発明は、キルティング布部材によって構成され、該キルティング布部材は表生地と裏生地と該表生地及び裏生地の間に介在された芯材とを有し且つ該芯材の移動を規制するステッチが設けられてなる上着であって、前記キルティング布部材には、着用者の肩上面部を被覆する肩上面被覆部の外側周縁に沿って弧状の曲線をなし且つ略水平に延びるように、ステッチが設けられてなることを特徴とする上着を提供する。
斯かる上着によれば、ステッチが肩上面被覆部の外側周縁に沿って設けられてなるので、芯材の大半は、肩上面被覆部に維持されることとなる。また、略水平に延びるように設けられてなるので、芯材の一部がステッチ近傍に移動しても、ステッチに沿って一方向にのみ移動することが抑制され、一カ所に芯材が集中することも抑制される。
更に、弧状の曲線をなすように設けられてなるので、ステッチの屈折部分である角部分を少なくすることができ、芯材が角部分に集中的に溜まってしまうということが抑制される。
従って、比較的腕や肩が動かし易く、肩上面部に対する保温性低下が抑制されることとなる。
【０００８】
本発明に於いては、着用者の胴を被覆する上着本体に腕を被覆する袖スリーブが縫着されて構成されてなり、前記袖スリーブとして着用者の肩上面部を被覆するラグランタイプのスリーブが用いられ、ラグラン袖仕立てとされてなるものが好ましい。
ラグラン袖仕立ての上着は、肩上面被覆部と腕を被覆する部分とが袖スリーブの縫着線によって区画されておらず、芯材の移動範囲が広く、肩上面被覆部からより多くの芯材が移動し易い。従って、セットイン袖仕立てのものに比して、本発明の効果をより一層顕著に享受できる。
【０００９】
更に、本発明に於いては、前記キルティング布部材の表生地の更に表側に、防水性布部材が積層されて、釣り用とされてなるものが好ましい。
釣りに於いては、シャクリ時やポンピング時等に腕や肩を大きく動かすことが多いことから、上着を釣り用とした場合には、本発明の効果をより一層顕著に享受できることとなる。
また、前記上着に於いては、防水性布部材が積層されてなることから、水しぶきを被ったり雨に打たれたりした場合に於いても、内部に水がしみ込んで保温性が低下することも抑制される。
【発明の効果】
【００１０】
以上の通りであり、本発明の上着は、腕や肩が動かし易く、更に、肩上面部に対する保温性低下が抑制されたものとなる。
【発明を実施するための最良の形態】
【００１１】
以下、本発明の好ましい実施の形態について図面を参照しつつ説明する。
図１は本実施形態の釣り用の上着を示す前面図であり、図２は該上着を裏返しにした状態の前面図であり、図３は裏返し状態の該上着の斜め上方からの斜視図である。
図１、図２に示すように、本実施形態の上着は、着用者の胴を被覆しうるように前身頃及び後身頃が連結されて形成された上着本体１と、該上着本体１に取り付けられた腕を被覆する袖スリーブ２０とを備えて構成されている。
尚、図１に於いては、表側の前面下部にポケット２、２が左右に１つずつ形成された状態が示されている。
【００１２】
前記上着本体１及び袖スリーブ２０は、キルティング布部材１０及びその表側に積層された防水性布部材３０によって構成されている。
前記防水性布部材３０は、水滴を通さない布部材である。前記防水性布部材３０としては、例えば、透湿防水加工が施されたナイロン織物等が用いられる。このような防水性布部材３０として、具体的には、ナイロン織物の裏面側に、水滴は通さないが水蒸気は通す微細孔が設けられたフッ素樹脂シートが積層され且つ張り合わされるされることにより形成されてなるものが挙げられる。
【００１３】
図２、図３に示すように、前記キルティング布部材１０は、表生地と裏生地１０ａとそれらの間に介在された芯材とを有し且つ該芯材の移動を規制する複数本のステッチ１５が設けられて構成されている（尚、図２、３に現れている表面は裏生地１０ａ）。
前記芯材としては、通常、ダウン、フェザー等の羽毛、綿又は羊毛等が使用されうる。
本実施形態に於いては、軽量で保温性に優れる点から、芯材として羽毛が用いられている。
【００１４】
前記表生地及び裏生地１０ａは、一般にジャケット等の裏生地として用いられている滑り性の良好な生地、例えば、ナイロンやポリエステル等の織物が使用されている。
前記ステッチ１５は、芯材の移動を規制すべく、表生地及び裏生地１０ａの間に芯材が介在した状態で、ポリエステル糸又はポリエステル混紡糸等の縫い糸を用いて表生地及び裏生地１０ａを縫い合わして形成された縫い目線であり、ミシンを用いて形成されている。
【００１５】
前記ステッチ１５は、表生地と裏生地１０ａの間の空間を複数個に区画して、複数個の芯材用空間１６を区画形成するように設けられてなり、各芯材用空間１６に介在された芯材は、それぞれ移動範囲がその芯材用空間１６内に規制されている。
そして、前記ステッチ１５として、具体的には、上着本体１に胴の軸方向に対して傾斜するように設けられたステッチ１５ａや、袖スリーブ２０に腕の軸方向に対して略垂直方向となるように設けられたステッチ１５ａ等が備えられている。
【００１６】
本実施形態の上着は、図１、図２、図３に示すように、筒状の袖スリーブ２０が上着本体１に縫着されて形成されてなり、該袖スリーブ２０として着用者の肩上面部を被覆する肩上面被覆部１７をも備えたラグランタイプのスリーブ２０が用いられ、ラグラン袖仕立てとされてなる。
このラグラン袖仕立ての上着に於いては、上着本体１の脇下部３から襟ぐりまで延びる斜線に沿って袖スリーブ２０の基端縁が縫着されてなり、前面視で脇下部３から襟ぐりまで傾斜した縫着線５が延在している。
【００１７】
本実施形態の上着に於いては、図２、図３に示すように、上記ステッチ１５ａに加えて、更に着用者の肩上面部を被覆する肩上面被覆部１７の外側周縁に沿って弧状の曲線をなし且つ略水平に延びるように、ステッチ１５ｂが袖スリーブ２０の前記キルティング布部材１０に設けられてなる。
具体的には、着用者の肩の上部であって、肩の稜線部分１８及びその周辺部分、好ましくは、肩甲骨上端と鎖骨とに及ぶ部分を覆う肩上面被覆部１７の外側（即ち、肩先側）の周縁に沿って、略円弧状をなすステッチ１５ｂが設けられている。
より具体的には、肩上面被覆部１７の肩先側の周縁に所定間隔を空けて沿うように、連続した略円弧状のステッチ１５ｂが設けられてなる。即ち、該ステッチ１５ｂが、前記肩上面被覆部１７の肩先側をやや外側から包囲するように形成されている。
【００１８】
前記ステッチ１５ｂは、袖スリーブ２０が袖ぐりに縫着されて、上着の前後両側に形成された袖ぐりの両縫着線５、５間に掛け渡されるように形成されている。
尚、前記袖ぐりの両縫着線５、５は、互いに下方にいくほど間隔が広がるテーパー状に形成されており、襟ぐりの縫着線５、袖ぐりの両縫着線５、５及び該ステッチ１５ｂによって、これらに囲繞された略扇形の芯材収容空間１６が形成されている。
【００１９】
本実施形態の上着は、上記の如く、肩上面被覆部１７の肩先側を外側から包囲するようにステッチ１５ｂが形成されてなるので、芯材が下方にズレ落ちることが防止され、比較的腕や肩が動かし易く、肩上面部に対する保温性の良好なものとなり、冬場の釣りに極めて好適なものとなる。
【００２０】
尚、本実施形態の上着は、上記の如く構成されてなるが、本発明の上着は、上記構成に限定されず適宜設計変更可能である。
【００２１】
例えば、上記実施形態に於いては、キルティング布部材１０の表側に、防水性布部材３０が積層されて、キルティング布部材１０に設けられたステッチ１５は防水性布部材３０に覆われて構成されたが、本発明に於いては、例えば、キルティング布部材１０の表生地として防水性のものを用いること等によって、別途キルティング布部材１０に防水性布部材３０が積層されず、裏返しにしなくともキルティング布部材１０が表側に露出するもの、即ち、ステッチ１５が表側に露出する態様のものとして構成されていてもよい。
また、上記実施形態に於いては、ラグラン袖仕立てのものを採用したが、セットイン袖仕立てのものであっても本発明の意図する範囲内である。
【図面の簡単な説明】
【００２２】
【図１】一実施形態の上着を示す正面図
【図２】同実施形態の上着の裏返し状態を示す正面図
【図３】同実施形態の上着の裏返し状態を示す斜視図
【図４】従来の上着を示す正面図
【図５】従来の上着を示す正面図
【符号の説明】
【００２３】
１  ・・・上着本体
１０ａ（１０）・・・キルティング布部材
１５ｂ（１５）・・・ステッチ
１７・・・肩上面被覆部
２０・・・袖スリーブ
３０・・・防水性布部材
【図１】
2010018900.tif 000003
【図２】
2010018900.tif 000004
【図３】
2010018900.tif 000005
【図４】
2010018900.tif 000006
【図５】
2010018900.tif 000007